(57)【要約】【目的】画像化された文書がクライアント端末装置に送信される場合に，その文書の内容を変更する。【構成】クライアント端末装置には，画像化された文章51を表す画像ファイルが送信され，その画像ファイルによって表される文章51が表示画面50に表示される。変更したい文章が含まれている領域54が指定されると，その指定された領域54内の文章を表すテキスト・データがクライアント端末装置に与えられる。そのテキスト・データを利用して文章が変更される。変更された文章を表す変更済みテキスト・データがクライアント端末装置から文書／画像サーバに送信される。文書／画像サーバにおいて，オリジナル文書が更新される。【選択図】図９
2011210065.tif 000002
【特許請求の範囲】
【請求項１】
クライアント端末装置と文書／画像サーバとを含むファイル通信システムにおいて，
上記クライアント端末装置が，
上記文書／画像サーバから送信される画像ファイルであって，テキスト・ファイルによって表されるオリジナル文書の１ページ以下の文書部分が画像化された画像ファイルを受信する第１の画像ファイル受信手段，
上記第１の画像ファイル受信手段において受信した画像ファイルによって表される画像化された文書部分のうち変更する領域を指定する指定手段，および
上記指定手段によって指定された領域を表す領域指定データを上記文書／画像サーバに送信する領域指定データ送信手段を備え，
上記文書／画像サーバが，
上記画像化された１頁以下の文書部分のうち，上記クライアント端末装置の上記領域指定データ送信手段から送信された領域指定データによって表される領域内の画像化された部分に対応するテキスト・データを上記クライアント端末装置に送信するテキスト・データ送信手段を備え，
上記クライアント端末装置が，
上記文書／画像サーバの上記テキスト・データ送信手段から送信されたテキスト・データによって表される文章を変更する文章変更手段，および
上記文章変更手段によって変更された文章を表す変更済みテキスト・データを上記文章／画像サーバに送信する変更済みテキスト・データ送信手段をさらに備え，
上記文書／画像サーバが，
上記オリジナル文書の１頁以下の文書部分のうち，上記クライアント端末装置の上記領域指定データ送信手段から送信された領域指定データによって表される領域内の文章が，上記クライアント端末装置の上記変更済みテキスト・データ送信手段から送信された変更済みテキスト・データによって表される変更された文書となるように，上記テキスト・ファイルを更新するテキスト・ファイル更新手段をさらに備えた，
ファイル通信システム。
【請求項２】
上記クライアント端末装置が，
上記変更済みテキスト・データ送信手段によって変更済みテキスト・データが上記文書／画像サーバに送信されたことに応じて，上記文書変更手段によって変更された変更済みテキスト・データを消去する変更済みテキスト・データ消去手段，
をさらに備えた請求項１に記載のファイル通信システム。
【請求項３】
上記文書／画像サーバは，
上記画像化された１頁以下の文書部分のうち，上記クライアント端末装置の上記領域指定データ送信手段から送信された領域指定データによって表される領域内の画像化された部分に対応するテキスト・データを上記テキスト・ファイルから抽出するテキスト・データ抽出手段をさらに備え，
上記テキスト・データ送信手段は，
上記テキスト・データ抽出手段によって抽出されたテキスト・データを上記クライアント端末装置に送信するものである，
請求項１または２に記載のファイル通信システム。
【請求項４】
上記文書／画像サーバは，
上記画像化された１頁以下の文書部分のうち，上記クライアント端末装置の上記領域指定データ送信手段から送信された領域指定データによって表される領域内の画像化された部分に含まれる文字列を識別して，識別された文字列を表すテキスト・データを生成するテキスト・データ生成手段をさらに備え，
上記テキスト・データ送信手段は，
上記テキスト・データ生成手段によって生成されたテキスト・データを上記クライアント端末装置に送信するものである，
請求項１から３のうち，いずれか一項に記載のファイル通信システム。
【請求項５】
上記文書／画像サーバから送信される画像ファイルであって，テキスト・ファイルによって表されるオリジナル文書の１ページ以下の文書部分が画像化された画像ファイルを受信する第１の画像ファイル受信手段，
上記第１の画像ファイル受信手段において受信した画像ファイルによって表される画像化された文書部分のうち変更する領域を指定する指定手段，および
上記指定手段によって指定された領域を表す領域指定データを上記文書／画像サーバに送信する領域指定データ送信手段，
上記領域指定データ送信手段から領域指定データが上記文書／画像サーバに送信されたことに応じて，上記文書／画像サーバから送信されるテキスト・データであって，上記領域指定データによって表される領域内の画像化された部分に対応するテキスト・データによって表される文章を変更する文章変更手段，および
上記文章変更手段によって変更された文章を表す変更済みテキスト・データを上記文章／画像サーバに送信する変更済みテキスト・データ送信手段，
備えているクライアント端末装置。
【請求項６】
テキスト・ファイルによって表されるオリジナル文書の１頁以下の文書部分が画像化された１頁以下の文書部分のうち，クライアント端末装置から送信された領域指定データによって表される領域内の画像化された部分に対応するテキスト・データを上記クライアント端末装置に送信するテキスト・データ送信手段，および
上記オリジナル文書の１頁以下の文書部分のうち，上記クライアント端末装置から送信される領域指定データによって表される領域内の文章が，上記テキスト・データ送信手段によって送信されたテキスト・データによって表される文章が上記クライアント端末装置において変更されたことにより，上記クライアント端末装置から送信される変更済みテキスト・データによって表される変更された文章となるように上記テキスト・ファイルを更新するテキスト・ファイル更新手段，
を備えた文書／画像サーバ。
【請求項７】
クライアント端末装置と文書／画像サーバとを含むファイル通信システムの動作制御方法において，
上記クライアント端末装置の第１の画像ファイル受信手段が，上記文書／画像サーバから送信される画像ファイルであって，テキスト・ファイルによって表されるオリジナル文書の１ページ以下の文書部分が画像化された画像ファイルを受信し，
上記クライアント端末装置の指定手段が，上記第１の画像ファイル受信手段において受信した画像ファイルによって表される画像化された文書部分のうち変更する領域を指定し，
上記クライアント端末装置の領域指定データ送信手段が，上記指定手段によって指定された領域を表す領域指定データを上記文書／画像サーバに送信し，
上記文書／画像サーバのテキスト・データ送信手段が，上記画像化された１頁以下の文書部分のうち，上記クライアント端末装置の上記領域指定データ送信手段から送信された領域指定データによって表される領域内の画像化された部分に対応するテキスト・データを上記クライアント端末装置に送信し，
上記クライアント端末装置の文章変更手段が，上記文書／画像サーバの上記テキスト・データ送信手段から送信されたテキスト・データによって表される文章を変更し，
上記クライアント端末装置の変更済みテキスト・データ送信手段が，上記文章変更手段によって変更された文章を表す変更済みテキスト・データを上記文章／画像サーバに送信し，
上記文書／画像サーバのテキスト・ファイル更新手段が，上記オリジナル文書の１頁以下の文書部分のうち，上記クライアント端末装置の上記領域指定データ送信手段から送信された領域指定データによって表される領域内の文章が，上記クライアント端末装置の上記変更済みテキスト・データ送信手段から送信された変更済みテキスト・データによって表される変更された文書となるように，上記テキスト・ファイルを更新する，
ファイル通信システムの動作制御方法。
【請求項８】
第１の画像ファイル受信手段が，上記文書／画像サーバから送信される画像ファイルであって，テキスト・ファイルによって表されるオリジナル文書の１ページ以下の文書部分が画像化された画像ファイルを受信し，
指定手段が，上記第１の画像ファイル受信手段において受信した画像ファイルによって表される画像化された文書部分のうち変更する領域を指定し，
領域指定データ送信手段が，上記指定手段によって指定された領域を表す領域指定データを上記文書／画像サーバに送信し，
文章変更手段が，上記領域指定データ送信手段から領域指定データが上記文書／画像サーバに送信されたことに応じて，上記文書／画像サーバから送信されるテキスト・データであって，上記領域指定データによって表される領域内の画像化された部分に対応するテキスト・データによって表される文章を変更し，
テキスト・データ送信手段が，上記文章変更手段によって変更された文章を表す変更済みテキスト・データを上記文章／画像サーバに送信する，
クライアント端末装置の動作制御方法。
【請求項９】
テキスト・データ送信手段が，テキスト・ファイルによって表されるオリジナル文書の１頁以下の文書部分が画像化された１頁以下の文書部分のうち，クライアント端末装置から送信された領域指定データによって表される領域内の画像化された部分に対応するテキスト・データを上記クライアント端末装置に送信し，
テキスト・ファイル更新手段が，上記オリジナル文書の１頁以下の文書部分のうち，上記クライアント端末装置から送信される領域指定データによって表される領域内の文章が，上記テキスト・データ送信手段によって送信されたテキスト・データによって表される文章が上記クライアント端末装置において変更されたことにより，上記クライアント端末装置から送信される変更済みテキスト・データによって表される変更された文章となるように上記テキスト・ファイルを更新する，
文書／画像サーバの動作制御方法。
【請求項１０】
クライアント端末装置の動作を制御するコンピュータが読み取り可能なプログラムであって，
上記文書／画像サーバから送信される画像ファイルであって，テキスト・ファイルによって表されるオリジナル文書の１ページ以下の文書部分が画像化された画像ファイルを受信させ，
受信した画像ファイルによって表される画像化された文書部分のうち変更する領域を指定させ，
指定された領域を表す領域指定データを上記文書／画像サーバに送信させ，
領域指定データが上記文書／画像サーバに送信されたことに応じて，上記文書／画像サーバから送信されるテキスト・データであって，上記領域指定データによって表される領域内の画像化された部分に対応するテキスト・データによって表される文章を変更させ，
変更された文章を表す変更済みテキスト・データを上記文章／画像サーバに送信させるようにクライアント端末装置をの動作を制御するプログラム。
【請求項１１】
文書／画像サーバの動作を制御するコンピュータが読み取り可能なプログラムであって，
テキスト・ファイルによって表されるオリジナル文書の１頁以下の文書部分が画像化された１頁以下の文書部分のうち，クライアント端末装置から送信された領域指定データによって表される領域内の画像化された部分に対応するテキスト・データを上記クライアント端末装置に送信させ，
上記オリジナル文書の１頁以下の文書部分のうち，上記クライアント端末装置から送信される領域指定データによって表される領域内の文章が，送信されたテキスト・データによって表される文章が上記クライアント端末装置において変更されたことにより，上記クライアント端末装置から送信される変更済みテキスト・データによって表される変更された文章となるように上記テキスト・ファイルを更新させるように文書／画像サーバの動作を制御するプログラム。
【発明の詳細な説明】
【技術分野】
【０００１】
この発明は，ファイル通信システム，クライアント端末装置，文書／画像サーバならびにそれらの動作制御方法ならびにそれらの動作を制御するプログラムに関する。
【背景技術】
【０００２】
文書ファイルによって表される文書を画像化したものを送受信して，画像化された文書を表示するものがある（特許文献１）。しかしながら，その画像化された文書の変更についての詳細は考えられていない。また，ウェブ・ページをサーバ側でレンダリングし，画像に変換したページをクライアントに送信するシンクライアント型ウェブ・ブラウザについてのものもある（特許文献２）。しかしながら，クライアントにおける文書の変更については考えられていない。
【先行技術文献】
【特許文献】
【０００３】
【特許文献１】特開平8-212331号公報
【特許文献２】特開2004-220260号公報
【発明の概要】
【０００４】
この発明は，画像化された文書がクライアント端末装置に送信される場合に，その文書の内容を変更できるようにすることを目的とする。
【０００５】
この発明は，クライアント端末装置と文書／画像サーバとを含むファイル通信システムについてのものである。
【０００６】
上記クライアント端末装置は，上記文書／画像サーバから送信される画像ファイルであって，テキスト・ファイルによって表されるオリジナル文書の１ページ以下の文書部分が画像化された画像ファイルを受信する第１の画像ファイル受信手段，上記第１の画像ファイル受信手段において受信した画像ファイルによって表される画像化された文書部分のうち変更する領域を指定する指定手段，および上記指定手段によって指定された領域を表す領域指定データを上記文書／画像サーバに送信する領域指定データ送信手段を備えている。
【０００７】
上記文書／画像サーバは，上記画像化された１頁以下の文書部分のうち，上記クライアント端末装置の上記領域指定データ送信手段から送信された領域指定データによって表される領域内の画像化された部分に対応するテキスト・データを上記クライアント端末装置に送信するテキスト・データ送信手段を備え，上記クライアント端末装置は，上記文書／画像サーバの上記テキスト・データ送信手段から送信されたテキスト・データによって表される文章を変更する文章変更手段，および上記文章変更手段によって変更された文章を表す変更済みテキスト・データを上記文章／画像サーバに送信する変更済みテキスト・データ送信手段をさらに備えている。
【０００８】
上記文書／画像サーバは，上記オリジナル文書の１頁以下の文書部分のうち，上記クライアント端末装置の上記領域指定データ送信手段から送信された領域指定データによって表される領域内の文章が，上記クライアント端末装置の上記変更済みテキスト・データ送信手段から送信された変更済みテキスト・データによって表される変更された文書となるように，上記テキスト・ファイルを更新するテキスト・ファイル更新手段をさらに備えている。
【０００９】
この発明は，上記ファイル通信システムに適した動作制御方法も提供している。すなわち，この方法は，クライアント端末装置と文書／画像サーバとを含むファイル通信システムの動作制御方法についてのものである。
【００１０】
上記クライアント端末装置の第１の画像ファイル受信手段が，上記文書／画像サーバから送信される画像ファイルであって，テキスト・ファイルによって表されるオリジナル文書の１ページ以下の文書部分が画像化された画像ファイルを受信し，上記クライアント端末装置の指定手段が，上記第１の画像ファイル受信手段において受信した画像ファイルによって表される画像化された文書部分のうち変更する領域を指定し，上記クライアント端末装置の領域指定データ送信手段が，上記指定手段によって指定された領域を表す領域指定データを上記文書／画像サーバに送信し，上記文書／画像サーバのテキスト・データ送信手段が，上記画像化された１頁以下の文書部分のうち，上記クライアント端末装置の上記領域指定データ送信手段から送信された領域指定データによって表される領域内の画像化された部分に対応するテキスト・データを上記クライアント端末装置に送信する。
【００１１】
上記クライアント端末装置の文章変更手段が，上記文書／画像サーバの上記テキスト・データ送信手段から送信されたテキスト・データによって表される文章を変更し，上記クライアント端末装置の変更済みテキスト・データ送信手段が，上記文章変更手段によって変更された文章を表す変更済みテキスト・データを上記文章／画像サーバに送信し，上記文書／画像サーバのテキスト・ファイル更新手段が，上記オリジナル文書の１頁以下の文書部分のうち，上記クライアント端末装置の上記領域指定データ送信手段から送信された領域指定データによって表される領域内の文章が，上記クライアント端末装置の上記変更済みテキスト・データ送信手段から送信された変更済みテキスト・データによって表される変更された文書となるように，上記テキスト・ファイルを更新する。
【００１２】
この発明によると，テキスト・ファイルによって表されるオリジナル文書の１頁以下の文書部分が画像化された画像ファイルが文書／画像サーバからクライアント端末装置に送信される。１頁以下の文書部分が画像化された画像ファイルがクライアント端末装置において受信されると，変更する領域が指定され，指定された領域を表す領域指定データがクライアント端末装置から文書／画像サーバに送信される。文書／画像サーバにおいて，領域指定データが受信されると，その領域指定データによって表される領域内の画像化された部分に対応するテキスト・データが文書／画像サーバからクライアント端末装置に送信される。テキスト・データがクライアント端末装置において受信されると，その受信したテキスト・データによって表される文章が変更される。変更された文章を表す変更済みテキスト・データがクライアント端末装置から文書／画像サーバに送信される。文書／画像サーバにおいてテキスト・データが受信されると，領域指定データによって表される領域内の文章が，受信したテキスト・データによって表される文章となるように，テキスト・ファイルが更新される。このようにして，画像化された文書をクライアント端末装置において変更できるようになる。
【００１３】
上記クライアント端末装置が，上記変更済みテキスト・データ送信手段によって変更済みテキスト・データが上記文書／画像サーバに送信されたことに応じて，上記文書変更手段によって変更された変更済みテキスト・データを消去する変更済みテキスト・データ消去手段をさらに備えてもよい。
【００１４】
上記文書／画像サーバが，上記画像化された１頁以下の文書部分のうち，上記クライアント端末装置の上記領域指定データ送信手段から送信された領域指定データによって表される領域内の画像化された部分に対応するテキスト・データを上記テキスト・ファイルから抽出するテキスト・データ抽出手段をさらに備えてもよい。この場合，上記テキスト・データ送信手段は，たとえば，上記テキスト・データ抽出手段によって抽出されたテキスト・データを上記クライアント端末装置に送信するものである。
【００１５】
上記文書／画像サーバが，上記画像化された１頁以下の文書部分のうち，上記クライアント端末装置の上記領域指定データ送信手段から送信された領域指定データによって表される領域内の画像化された部分に含まれる文字列を識別して，識別された文字列を表すテキスト・データを生成するテキスト・データ生成手段をさらに備えてもよい。この場合，上記テキスト・データ送信手段は，たとえば，上記テキスト・データ生成手段によって生成されたテキスト・データを上記クライアント端末装置に送信するものである。
【００１６】
この発明は，上記ファイル通信システムを構成するクライアント端末装置，文書／画像サーバおよびそれらの動作制御方法も提供している。
【図面の簡単な説明】
【００１７】
【図１】ファイル通信システムの概要である。
【図２】文書／画像サーバの電気的構成を示すブロック図である。
【図３】クライアント端末装置の電気的構成を示すブロック図である。
【図４】クライアント端末装置の処理手順を示すフローチャートである。
【図５】クライアント端末装置の処理手順を示すフローチャートである。
【図６】文書／画像サーバの処理手順を示すフローチャートである。
【図７】文書／画像サーバの処理手順を示すフローチャートである。
【図８】表示画面の一例である。
【図９】表示画面の一例である。
【図１０】表示画面の一例である。
【図１１】表示画面の一例である。
【図１２】表示画面の一例である。
【図１３】表示画面の一例である。
【図１４】表示画面の一例である。
【図１５】文章が変更された文書の１頁である。
【実施例】
【００１８】
図１は，この発明の実施例を示すもので，ファイル通信システムの概要である。
【００１９】
インターネットのようなネットワークを介して，文書／画像サーバ１とクライアント端末装置10とが互いに通信可能である。クライアント端末装置10は，携帯電話，パーソナル・コンピュータなどである。
【００２０】
この実施例では，文書／画像サーバ１において，テキスト・ファイルによって表されるオリジナル文書の１頁以下の文書部分が画像化される。画像化された画像ファイルが文書サーバ１からクライアント端末装置10に送信される。クライアント端末装置10において，画像として表示される文書部分の中から，変更したい文章が含まれている領域が指定される。すると，その指定された領域内の文章を表すテキスト・データが文書／画像サーバ１からクライアント端末装置10に送信される。クライアント端末装置10において，テキスト・データによって表される文章が表示され，その文章が変更される。文書／画像サーバ１からクライアント端末装置10に画像化された文書が送信される場合でもクライアント端末装置10において，文書を変更できる。
【００２１】
図２は,文書／画像サーバ１の電気的構成を示すブロック図である。
【００２２】
文書／画像サーバ１の全体の動作は，ＣＰＵ２によって統括される。
【００２３】
文書／画像サーバ１には，ＣＤ−ＲＯＭ（コンパクト・ディスク-リード・オンリ・メモリ）ドライブ４が含まれている。このＣＤ−ＲＯＭドライブ４に，文書／画像サーバ１の動作プログラムが格納されているＣＤ−ＲＯＭ９が装填され，動作プログラムが読み取られることにより，その動作プログラムが文書／画像サーバ１にインストールされる。もっとも，動作プログラムはインターネットを介して文書／画像サーバ１に与えられたり，プレインストールされたりしてもよい。
【００２４】
文書／画像サーバ１には，上述のように，クライアント端末装置10と通信するための通信装置３が含まれている。また，文書／画像サーバ１には，キーボードなどの入力装置５および所定のデータ，動作プログラムが格納されているメモリ６も含まれている。
【００２５】
さらに，文書／画像サーバ１には，多数の文書（オリジナル文書）を表す多数のテキスト・ファイルが格納されているハードディスク８も含まれている。ハードディスク・ドライブ７によりハードディスク８に格納されているテキスト・ファイルが読み取られる，あるいはハードディスク・ドライブ７によりテキスト・ファイルがハードディスク８に書き込まれる。
【００２６】
図３は，クライアント端末装置10の電気的構成を示すブロック図である。
【００２７】
クライアント端末装置10の全体の動作は，ＣＰＵ12によって統括される。
【００２８】
クライアント端末装置10には，メモリ・カード・リーダ17が含まれている。クライアント端末装置10の動作プログラムが格納されているメモリ・カード19がメモリ・カード・リーダ17に装填され，その動作プログラムが読み取られることより，クライアント端末装置10に動作プログラムがインストールされる。もちろん，インターネットを介して動作プログラムがクライアント端末装置10に与えられて，インストールされてもよいし，プレインストールされていてもよい。
【００２９】
クライアント端末装置10には，上述したように文書／画像サーバ１と通信するための通信装置13が含まれている。また，クライアント端末装置10には，表示装置14，キーボード，キーパッド，マウスなどの入力装置16も含まれている。さらに，クライアント端末装置10には動作プログラム，所定のデータを記憶するメモリ18も含まれている。クライアント端末装置10の種類により入力装置16は変わる。たとえば，クライアント端末装置10がパーソナル・コンピュータであれば，入力装置16はキーボード，マウスなどであるし，クライアント端末装置10が携帯電話であれば，入力装置16はキーパッドであろう。
【００３０】
図４から図７は，ファイル通信システムの処理手順を示すフローチャートである。図４および図５は，クライアント端末装置10の処理手順を示すフローチャートである。図６および図７は，文書／画像サーバ１の処理手順を示すフローチャートである。この実施例では，クライアント端末装置10は携帯電話の例であるが，携帯電話に限らず，パーソナル・コンピュータでも同様の処理を行うことができる。
【００３１】
クライアント端末装置10から文書／画像サーバ１に，文章を変更したい文書の該当頁（変更したい文書が含まれている頁）の送信を要求するリクエスト・データが送信される（図４ステップ21）。
【００３２】
クライアント端末装置10から送信されたリクエスト・データが文書／画像サーバ１において受信されると，そのリクエスト・データによって要求される該当頁を含む文書を表すテキスト・ファイルがハードディスク８から読み取られる。読み取られたテキスト・ファイルによって表される文書のうち，クライアント端末装置10から要求された該当頁が画像化される（図６ステップ41）。画像化された該当頁を表す画像ファイルが文書／画像サーバ１からクライアント端末装置10に送信される（図６ステップ42）。もちろん，該当頁のみを画像化せずに，文書をすべて画像化し，画像化された該当頁のみがクライアント端末装置10に送信されるようにしてもよい。
【００３３】
文書／画像サーバ１から送信された画像ファイルがクライアント端末装置10において受信される（図４ステップ22）。すると，その受信した画像ファイルによって表される画像化された文書がクライアント端末装置10の表示装置14の表示画面に表示される（図４ステップ23）。
【００３４】
図８は，クライアント端末装置10の表示装置14の表示画面に表示される画像の一例である。
【００３５】
表示画面50には，クライアント端末装置10のユーザによって要求された文書の１頁が画像化されて表示されている（文書画像51）。文書画像51は，テキスト・ファイルによって表される文書ではなく（文字コードによって表される文字の集まりの文書ではなく），画像ファイルによって表される１つの画像である。したがって，文書画像51はワープロ・ソフトウエアを用いて文書を変更することはできない。
【００３６】
表示画面50の下部には，「終了」の文字が付されている終了ボタン52および「変更」の文字が付されている変更ボタン53が形成されている。終了ボタン52がクリックされることにより，クライアント端末装置10の処理が終了する。変更ボタン53がクリックされることにより，文書画像51によって表されている文書の変更処理に移行する。変更ボタン53が押されると，表示画面50にカーソルが現れ，そのカーソルを用いて，表示画面50に表示されている文書画像51の中から変更したい文章が含まれている領域が指定される。
【００３７】
図９は，変更ボタン53が押されたときの表示画面50の状態を表している。
【００３８】
表示画面50にカーソルＣが現れている。このカーソルＣによって文書画像51中の２点が指定されると，その指定された領域が変更したい文章が含まれている領域となる。
【００３９】
たとえば，カーソルＣによって，座標（ｘ１，ｙ１）と座標（ｘ２，ｙ２）との２点が指定され，クライアント端末装置10に含まれるキーパッドの中の決定ボタンが押されると，それらの座標（ｘ１，ｙ１）と座標（ｘ２，ｙ２）とによって決定される矩形の領域54が変更したい文章が含まれている領域として決定される。
【００４０】
さらに，変更ボタン53がクリックされると，表示画面50は図10に示す確認画像に切り替わる。
【００４１】
図10に示す確認画像では，指定した領域の情報を送信するかどうかの文字列の下に「ＹＥＳ」の文字が付されたイエス・ボタン55と「ＮＯ」の文字が付されたノー・ボタン56が表示されている。さらに，表示画面50の下部には「メニュー」の文字が付されたメニュー・ボタン57が表示されている。イエス・ボタン55がクリックされると，指定された領域を特定する領域指定データがクライアント端末装置10から文書／画像サーバ10に送信される。ノー・ボタン56がクリックされると，表示画面50は図９に示す文書画像51の表示に戻る。
【００４２】
図４を参照して，上述のように，変更する領域が指定されると（ステップ24），その領域を特定する領域指定データ（上述のように座標（ｘ１，ｙ１）と座標（ｘ２，ｙ２）とを示すデータ）がクライアント端末装置10から文書／画像サーバ１に送信される（図４ステップ25）。もっとも，領域特定データは，上述のように座標（ｘ１，ｙ１）と座標（ｘ２，ｙ２）とを示すデータでなくとも，文書画像51の文書における頁を特定するデータであってもよい。また，領域特定データは文書画像51における行数，段落を特定するものでもよい。
【００４３】
クライアント端末装置10から送信された領域指定データが文書／画像サーバ１において受信されると（図６ステップ43），クライアント端末装置10のユーザから要求されていたオリジナル文書を表すテキスト・ファイル（文書／画像サーバ１のキャッシュに記憶されていれば，そのテキスト・ファイルを利用できる）から，領域指定データによって表される領域内の文章を表すテキスト・データが抽出される（図６ステップ44）。テキスト・データは，クライアント端末装置10に送信した文書画像のオリジナル文書での頁に含まれるテキスト・データを抽出すればよい。さらに，文書ファイルが，座標情報を有するプレゼンテーション・ソフトウエアなどにより生成されたものであれば，その文書ファイルが有する座標情報を利用してテキスト・データを抽出できる。
【００４４】
また，オリジナル・ファイルを生成したアプリケーション・ソフトウエアが判別される（図６ステップ45）。アプリケーション・ソフトウエアの判別は，拡張子を利用してもよし，テキスト・ファイルのシグネチャを利用してもよい。抽出されたテキスト・データおよびアプリケーション・ソフトウエアの種類を表すデータが文書／画像サーバ１からクライアント端末装置10に送信される（図６ステップ46）。
【００４５】
上述の実施例では，オリジナル文書を表すテキスト・ファイルから領域指定データによって表される領域内の文章を表すテスト・データが抽出されているが，文書画像（上述のように該当頁が画像化されたものであり，図８に示すように画像として表示されるもの）から，領域指定データによって表される領域内の文字の識別を行い，識別された文字列を表すテキスト・データを生成するようにしてもよい。生成されたテキスト・データが文書／画像サーバ１からクライアント端末装置10に送信される。
【００４６】
文書／画像サーバ１から送信されたテキスト・データおよびアプリケーション・ソフトウエアの種類を表すデータがクライアント端末装置10において受信されると（図５ステップ26），クライアント端末装置10において，そのアプリケーション・ソフトウエアに対応したソフトウエアが起動させられる（図５ステップ27）。すると，テキスト・データによって表される文章がクライアント端末装置10の表示装置14の表示画面50に表示される（ステップ28）。文書／画像サーバ１から送信されたアプリケーション・ソフトウエアの種類を表すデータによって特定されるアプリケーション・ソフトウエアがクライアント端末装置10にインストールされていない場合には，そのアプリケーション・ソフトウエアのかわらに起動するソフトウエアをあらかじめ決めておき，そのあらかじめ決められたソフトウエアが起動する。
【００４７】
図11は，テキスト・データによって表される文章の一例である。
【００４８】
表示画面50に表示される文章58は，一文字一文字がテキスト・データ（文字コード）によって表されるもので，図９において指定された領域54内に画像として表示される文字が表示されているものである。表示画面50には，テキスト・データによって表される文章58が表示されるので，クライアント端末装置10のユーザは，その文章58を変更できる。変更後の文章59の一例が図12に示されている。
【００４９】
このようにして，文章58から文章59に変更されると，クライアント端末装置10に含まれる決定ボタンが押される。すると，表示画面50は，図13に示すように送信ファイル一覧画像が表示される。送信ファイル一覧画像には，ファイル名が一覧表示されている。一覧表示されているファイル名の中から，送信するファイル（変更された文章59を表すテキスト・ファイル）がカーソル61によって指定される。決定ボタンが押されると，表示画面50は図14に示す送信確認画像に切り替わる。
【００５０】
送信確認画像には，文書ファイル２（カーソル61によって送信するファイルとして指定されたファイル）を送信しますか？の文字列のほかにイエス・ボタン62およびノー・ボタン63が形成されている。イエス・ボタン62がクリックされると，指定された文書ファイル２（変更済みテキスト・データ）が文書／画像サーバ１に送信される。ノー・ボタン63がクリックされると，表示画面50は図13に示す画像表示に戻る。
【００５１】
図５に戻って，上述のように，変更済みテキスト・データがクライアント端末装置10から文書／画像サーバ１に送信される（ステップ30）。さらに，クライアント端末装置10からは，変更した文章を表す変更済みテキスト・データが消去される（図５ステップ31）。クライアント端末装置10には，変更済みテキスト・データが残らないので，セキュリティが向上する。変更済みテキスト・データは，次に述べるようにテキスト・ファイルの更新の通知を受信し，その通知の受信後に消去してもよい。
【００５２】
クライアント端末装置10から送信された変更済みテキスト・データが文書／画像サーバ１において受信されると（図７ステップ47），クライアント端末装置10から送信された領域指定データによって表される領域内の文章が，クライアント端末装置10から送信された変更済みテキスト・データによって表される変更された文章となるように，テキスト・ファイルが更新される。更新されたテキスト・ファイルはハードディスク８に記憶される（図７ステップ48）。
【００５３】
図15は，文章が変更された文書の１頁を示している。
【００５４】
変更後の文書（の一部）70は，図９で示す領域54内の文章が，図12で示す文章59で置き換えられている。このようにして文章を変更できる。
【００５５】
文章が変更されることにより，更新されたテキスト・ファイルによって表されるオリジナル文書の頁配分が変わってしまう場合には，そのような変更を許可しないようにしてもよい。また，オリジナル文書の頁配分が変わってしまう場合には，頁配分が変わるようにテキスト・ファイルの更新が行われてもよい。さらに，オリジナル文書の頁が増加する場合には，そのような変更を許可せずに，オリジナル文書の頁が減少する場合には空白部分を加入し，オリジナル文書の頁が減少しないようにしてもよい。たとえば，図８に示すオリジナル文書の一部の頁が17行であったときに，文章を変更することにより17行未満の文章となった場合には，図15に示すように，その頁に空白の行を追加し17行となるようにする。これにより頁配分が変わってしまうことを未然に防止できる。
【００５６】
クライアント端末装置10から文書／画像サーバ１に文書の閲覧リクエストを送信することにより，文章が変更された文書を確認できる。クライアント端末装置10に送信されるテキスト・データは，文書のうちの一部分であり，そのほかの部分は与えられないので，勝手にそのほかの部分が変更されてしまうことを未然に防止できる。また，変更済みのテキスト・データはクライアント端末装置10から削除されるので，変更済みのテキスト・データが漏洩してしまうことを未然に防止される。
【符号の説明】
【００５７】
１  文書／画像サーバ
２  ＣＰＵ（テキスト・ファイル更新手段）
３  通信装置（テキスト・データ送信手段）
10  クライアント端末装置
13  通信装置（第１の画像ファイル受信手段，領域指定データ送信手段，テキスト・データ送信手段）
16  入力装置（文章変更手段）
【図１】
2011210065.tif 000003
【図２】
2011210065.tif 000004
【図３】
2011210065.tif 000005
【図４】
2011210065.tif 000006
【図５】
2011210065.tif 000007
【図６】
2011210065.tif 000008
【図７】
2011210065.tif 000009
【図８】
2011210065.tif 000010
【図９】
2011210065.tif 000011
【図１０】
2011210065.tif 000012
【図１１】
2011210065.tif 000013
【図１２】
2011210065.tif 000014
【図１３】
2011210065.tif 000015
【図１４】
2011210065.tif 000016
【図１５】
2011210065.tif 000017